【手続補正書】
【提出日】平成19年11月13日(2007.11.13)
【手続補正１】
【補正対象書類名】明細書
【補正対象項目名】特許請求の範囲
【補正方法】変更
【補正の内容】
【特許請求の範囲】
【請求項１】
通信ネットワーク上のオブジェクトの共有に利用するＷｅｂサーバであって、当該Ｗｅｂサーバは、
利用者識別情報に対応付けられた前記オブジェクトの管理情報、及び前記オブジェクトの格納場所を識別するオブジェクトパス情報を記憶する記憶部と、
外部の端末装置と通信する通信部と、
前記記憶部及び通信部を動作させる処理部と
を備え、
前記処理部は、
前記通信部が前記端末装置から前記通信ネットワークを介して前記利用者識別情報を受信した場合に、当該受信した利用者識別情報に対応する前記管理情報に基づいて、前記記憶部に格納された前記オブジェクトパス情報を特定し、
特定した当該オブジェクトパス情報に基づいて当該オブジェクトを前記端末装置で利用するための情報を作成して当該端末装置へ送信し、これにより手動によってオブジェクトパス情報の追加をさせない、
Ｗｅｂサーバ。
【請求項２】
前記処理部は、
前記オブジェクトパス情報に基づいて、前記端末装置で利用するための前記情報として、当該オブジェクトを利用するためのコンテンツ管理画面を前記端末装置に表示させるための制御情報を作成する
請求項１に記載のＷｅｂサーバ。
【請求項３】
アイコン画像を格納する画像格納部を更に備え、
前記処理部は、
前記オブジェクトパス情報と、前記画像格納部が格納する前記アイコン画像とに基づいて、当該オブジェクトに導くアイコンを含むコンテンツ管理画面を前記端末装置に表示させるための制御情報を作成する
請求項１に記載のＷｅｂサーバ。
【請求項４】
前記記憶部は、前記オブジェクトを他の利用者に利用させることを許可したことを示す共有許可情報を更に備え、
前記処理部は、前記通信部が前記端末装置から前記通信ネットワークを介して前記利用者識別情報を受信した場合に、当該受信した利用者識別情報に対応する前記管理情報に基づいて、共有が許可されたオブジェクトのオブジェクトパス情報を特定する
請求項１に記載のＷｅｂサーバ。
【請求項５】
前記処理部は、
受信した前記利用者識別情報とは異なる、他の利用者の利用者識別情報に関連づけられたオブジェクトパス情報を特定し、当該オブジェクトパス情報に対応するオブジェクトを前記端末装置で利用するための情報を作成して当該端末装置へ送信する
請求項４に記載のＷｅｂサーバ。
【請求項６】
前記処理部は、前記オブジェクトのフォーマットに関連づけられたアプリケーションを起動し、当該アプリケーションを用いて当該オブジェクトを前記端末装置で利用するための前記情報を作成する
請求項１に記載のＷｅｂサーバ。
【請求項７】
通信ネットワーク上のオブジェクトの共有に利用するＷｅｂサーバであって、当該Ｗｅｂサーバは、
前記オブジェクトの格納場所を識別するオブジェクトパス情報を記憶する記憶部と、
外部の端末装置と通信し、前記通信ネットワークを介して前記他のＷｅｂサーバによって管理されている前記オブジェクトのオブジェクトパス情報を取得する通信部と、
前記記憶部及び通信部を動作させる処理部と
を備え、
前記処理部は、
前記他のＷｅｂサーバによって管理されている前記オブジェクトを前記端末装置で利用するための情報を、取得した当該オブジェクトパス情報に基づいて作成して、当該端末装置へ送信する
Ｗｅｂサーバ。
【請求項８】
前記処理部は、前記他のＷｅｂサーバによって管理されている前記オブジェクトに関する前記オブジェクトパス情報を、前記端末装置、前記他のＷｅｂサーバまたは、更に他のＷｅｂサーバ装置から取得する
請求項７に記載のＷｅｂサーバ。
【請求項９】
前記他のＷｅｂサーバが、更に他のＷｅｂサーバが管理するオブジェクトのオブジェクトパス情報を格納し、前記処理部は、格納された当該オブジェクトパス情報を前記他のＷｅｂサーバから取得する
請求項７に記載のＷｅｂサーバ。
【請求項１０】
前記処理部は、前記端末装置の記憶装置に保存された前記他のＷｅｂサーバによって管理されている前記オブジェクトの前記オブジェクトパス情報を格納したファイルを当該端末装置から受信する
請求項７に記載のＷｅｂサーバ。
【請求項１１】
前記ファイルは、前記端末装置のキャッシュファイルである
請求項１０に記載のＷｅｂサーバ。
【請求項１２】
前記処理部は、前記他のＷｅｂサーバによって管理されている前記オブジェクトの前記オブジェクトパス情報を前記他のＷｅｂサーバから定期的に取得する
請求項７に記載のＷｅｂサーバ。
【請求項１３】
前記通信部は、前記他のＷｅｂサーバとソケット通信を利用することにより、前記他のサーバから前記オブジェクトパス情報を取得する
請求項１２に記載のＷｅｂサーバ。
【請求項１４】
前記処理部は、
前記オブジェクトパス情報に基づいて、前記端末装置で利用するための前記情報として、当該オブジェクトを利用するためのコンテンツ管理画面を前記端末装置に表示させるための制御情報を作成する
請求項７に記載のＷｅｂサーバ。
【請求項１５】
前記通信部は、HTTPプロトコルを用いて前記端末装置と通信する
請求項７に記載のＷｅｂサーバ。
【請求項１６】
アイコン画像を格納する画像格納部を更に備え、
前記処理部は、
前記オブジェクトパス情報と、前記画像格納部が格納する前記アイコン画像とに基づいて、当該オブジェクトに導くアイコンを含むコンテンツ管理画面を前記端末装置に表示させるための制御情報を作成する
請求項７に記載のＷｅｂサーバ。
【請求項１７】
前記記憶部は、利用者識別情報に対応付けられた前記オブジェクトの管理情報を更に記憶し、
前記処理部は、
前記通信部が前記端末装置から前記通信ネットワークを介して前記利用者識別情報を受信した場合に、当該受信した利用者識別情報に対応する前記管理情報に基づいて、前記記憶部に格納された前記オブジェクトパス情報を特定し、当該オブジェクトを前記端末装置で利用するための情報を当該端末装置へ送信する
請求項７に記載のＷｅｂサーバ。
【請求項１８】
前記記憶部は、前記オブジェクトを他の利用者に利用させることを許可したことを示す共有許可情報を更に備え、
前記処理部は、前記通信部が前記端末装置から前記通信ネットワークを介して前記利用者識別情報を受信した場合に、当該受信した利用者識別情報に対応する前記管理情報に基づいて、共有が許可されたオブジェクトのオブジェクトパス情報を特定する
請求項１７に記載のＷｅｂサーバ。
【請求項１９】
前記処理部は、
受信した前記利用者識別情報とは異なる、他の利用者の利用者識別情報に関連づけられたオブジェクトパス情報を特定し、当該オブジェクトパス情報に対応するオブジェクトを前記端末装置で利用するための情報を作成して当該端末装置へ送信する
請求項７に記載のＷｅｂサーバ。
【請求項２０】
前記処理部は、前記オブジェクトのフォーマットに関連づけられたアプリケーションを起動し、当該アプリケーションを用いて当該オブジェクトを前記端末装置で利用するための前記情報を作成する
請求項７に記載のＷｅｂサーバ。
【請求項２１】
通信ネットワーク上のオブジェクトの共有に利用するＷｅｂサーバを動作させる為のプログラムを記録したコンピュータに読み取り可能な記録媒体であって、
当該プログラムは、
利用者識別情報に対応付けられた前記オブジェクトの管理情報、及び、前記オブジェクトの格納場所を識別するオブジェクトパス情報を記憶する記憶手段と、
外部の端末装置と通信する通信手段と、
前記記憶手段及び通信手段を動作させる処理手段と
を備え、
前記処理手段は、
前記通信手段が前記端末装置から前記通信ネットワークを介して前記利用者識別情報を受信した場合に、当該受信した利用者識別情報に対応する前記管理情報に基づいて、前記記憶手段に格納された前記オブジェクトパス情報を特定し、
特定した当該オブジェクトパス情報に基づいて当該オブジェクトを前記端末装置で利用するための情報を作成して当該端末装置へ送信し、これにより手動によってオブジェクトパス情報の追加をさせない、
記憶媒体。
【請求項２２】
通信ネットワーク上のオブジェクトの共有に利用するＷｅｂサーバを動作させる為のプログラムを記録したコンピュータに読み取り可能な記録媒体であって、
当該プログラムは、
前記オブジェクトの格納場所を識別するオブジェクトパス情報を記憶する記憶手段と、
外部の端末装置と通信し、前記通信ネットワークを介して前記他のＷｅｂサーバによって管理されている前記オブジェクトのオブジェクトパス情報を取得する通信手段と、
前記記憶手段及び通信手段を動作させる処理手段と
を備え、
前記処理手段は、
前記他のＷｅｂサーバによって管理されている前記オブジェクトを前記端末装置で利用するための情報を、取得した当該オブジェクトパス情報に基づいて作成して、当該端末装置へ送信する
記録媒体。
【請求項２３】
通信ネットワークでオブジェクトの共有に利用するサーバシステムであって、
前記通信ネットワークに接続されたＷｅｂサーバと、
前記通信ネットワークを介して前記Ｗｅｂサーバと通信を行う端末装置と、
オブジェクトを管理する他のＷｅｂサーバと
を備え、
前記Ｗｅｂサーバは、
前記オブジェクトの格納場所を識別するオブジェクトパス情報を記憶する記憶部と、
前記端末装置と通信し、前記他のＷｅｂサーバによって管理されている前記オブジェクトのオブジェクトパス情報を取得する通信部と、
前記記憶部及び通信部を動作させる処理部と
を有し、
前記処理部は、
前記他のＷｅｂサーバによって管理されている前記オブジェクトを前記端末装置で利用するための情報を、取得した当該オブジェクトパス情報に基づいて作成して、当該端末装置へ送信する、
サーバシステム。
【手続補正２】
【補正対象書類名】明細書
【補正対象項目名】０００６
【補正方法】変更
【補正の内容】
【０００６】
【課題を解決するための手段】
上記目的を達成するため、第１の発明は、利用者識別情報毎に個々のコンテンツ管理情報を記憶するコンテンツ管理情報記憶手段、アイコン画像を格納するアイコン画像記憶手段、外部の端末装置とインターネットを介して通信する通信手段、及びこれら各手段の動作を制御する情報の処理手段を備えるコンテンツ管理サーバ装置で実行されるコンテンツ管理プログラムである。ここで、コンテンツ管理情報記憶手段は、オブジェクトの格納場所を識別するオブジェクトパス情報と、オブジェクトを他の利用者に利用させることを許可したことを示す共有許可情報とを関連付けて格納する。そして、当該コンテンツ管理プログラムを実行するコンテンツ管理サーバ装置は、次の処理を行う。処理手段は、端末装置からインターネットを介して利用者識別情報を受信する。続いて、処理手段は、当該受信した利用者識別情報に対応するコンテンツ管理情報記憶手段を特定する。次に、処理手段は、特定されなかった他の利用者のコンテンツ管理情報記憶手段から、共有許可情報に関連付けられたオブジェクトパス情報を取得する。また、処理手段は、アイコン画像記憶手段から、アイコン画像を取得する。そして、処理手段は、当該取得したアイコン画像と、取得したオブジェクトパス情報とに基づいて、当該オブジェクトに導くアイコンを含むコンテンツ管理画面の表示制御情報を作成する。さらに、処理手段は、当該作成した表示制御情報を、端末装置にインターネットを介して送信する。
【手続補正３】
【補正対象書類名】明細書
【補正対象項目名】０００９
【補正方法】変更
【補正の内容】
【０００９】
第2の発明は、アイコン画像を格納するアイコン画像記憶手段、外部の端末装置とインターネットを介して通信する通信手段、及びこれら各手段の動作を制御する情報の処理手段を備えるコンテンツ管理サーバ装置で実行されるコンテンツ管理プログラムである。当該コンテンツ管理プログラムを実行するコンテンツ管理サーバ装置は、次の処理を行う。処理手段は、端末装置からインターネットを介して、他のサーバ装置にあるオブジェクトの格納場所を識別するオブジェクトパス情報を取得する。続いて、処理手段は、アイコン画像記憶手段から、アイコン画像を取得する。そして、処理手段は、当該取得したアイコン画像と、取得したオブジェクトパス情報とに基づいて、当該オブジェクトに導くアイコンを含むコンテンツ管理画面の表示制御情報を作成する。さらに、処理手段は、当該作成した表示制御情報を、端末装置にインターネットを介して送信する。
【手続補正４】
【補正対象書類名】明細書
【補正対象項目名】００１１
【補正方法】変更
【補正の内容】
【００１１】
第３の発明は、上記第２の発明に係るコンテンツ管理プログラムであって、
さらに次の処理を処理手段に実行させることを特徴とする。処理手段は、端末装置からインターネットを介して、他のサーバ装置にあるオブジェクトの格納場所を識別するオブジェクトパス情報を取得する。続いて、処理手段は、端末装置からアップロード要求を受信する。また、処理手段は、当該受信したアップロード要求に基づいて、端末装置のデスクトップに保存されオブジェクトパス情報を格納したファイルを受信する。さらに、処理手段は、当該受信したファイルから、オブジェクトパス情報を取得する。
【手続補正５】
【補正対象書類名】明細書
【補正対象項目名】００１３
【補正方法】変更
【補正の内容】
【００１３】
第４の発明は、上記第２の発明に係るコンテンツ管理プログラムであって、さらに次の処理を処理手段に実行させることを特徴とする。処理手段は、端末装置からアップロード要求を受信する。続いて、当該受信したアップロード要求に基づいて、オブジェクトパス情報を格納した端末装置のWEBブラウザのキャッシュファイルを受信する。さらに、当該受信したキャッシュファイルから、オブジェクトパス情報を取得する。
【手続補正６】
【補正対象書類名】明細書
【補正対象項目名】００１５
【補正方法】変更
【補正の内容】
【００１５】
第５の発明は、アイコン画像を格納するアイコン画像記憶手段、外部のサーバ装置又は端末装置とインターネットを介して通信する通信手段、及びこれら各手段の動作を制御する情報の処理手段を備えるコンテンツ管理サーバ装置で実行されるコンテンツ管理プログラムである。当該コンテンツ管理プログラムを実行するコンテンツ管理サーバ装置は、次の処理を行う。処理手段は、外部のサーバ装置から、当該サーバ装置が管理しているオブジェクトの格納場所を識別するオブジェクトパス情報を取得する。続いて、処理手段は、アイコン画像記憶手段から、アイコン画像を取得する。そして、処理手段は、当該取得したアイコン画像と、取得したオブジェクトパス情報に基づいて、当該オブジェクトに導くアイコンを含むコンテンツ管理画面の表示制御情報を作成する。さらに、処理手段は、当該作成した表示制御情報を、外部の端末装置にインターネットを介して送信する。
【手続補正７】
【補正対象書類名】明細書
【補正対象項目名】００１７
【補正方法】変更
【補正の内容】
【００１７】
第６の発明は、上記第５の発明に係るコンテンツ管理プログラムであって、さらに次の処理を処理手段に実行させることを特徴とする。処理手段は、サーバ装置間のソケット通信により、オブジェクトパス情報を、外部のサーバ装置から取得する。